(57)【要約】      （修正有）【課題】地震などの災害のとき、建築用シャッターの合い鍵が無くても自動的に解錠する解錠装置を提供する。【解決手段】シャッターレール２のラッチ掛かり部分を切り取ったラッチ開閉板８と、ラッチ開閉板８をシャッターレール２の元の位置に接合するスプリング蝶番９と、ラッチ開閉板８を施錠位置に固定するロック機構１０で構成することを特徴とする解錠装置である。【選択図】図５
0003147303.tif 000002
【実用新案登録請求の範囲】
【請求項１】
建築用シャッターの鍵を施錠したまま、合い鍵を使わずに解錠する方法として、シャッターレール（２）のラッチ掛かり（１４）部分を切り取ったラッチ開閉板（８）と、ラッチ開閉板（８）をシャッターレール（２）の元の位置に接合するスプリング蝶番（９）と、ラッチ開閉板（８）を施錠位置に固定するロック機構（１０）で構成することを特徴とする解錠装置。
【考案の詳細な説明】
【技術分野】
【０００１】  本考案は、物置、ガレージ、倉庫等の建築用シャッターの鍵が、地震などの災害で不明になり、鍵で開けることができなくなっても、地震の振動を利用して自動解錠することが可能な装置に関するものである。
【背景技術】
【０００２】  地震などの災害で、重要な物を保管している物置、ガレージ、倉庫等の建築用シャッターの鍵を紛失したり使えなくなったりした場合は、シャッターを解錠することが困難になり収納物の取り出しができないという問題があった。【０００３】  このため、地震の振動や災害検出センサーで、自動的に解錠する装置が必要であった。
【考案の開示】
【考案が解決しようとする課題】
【０００４】  本考案は、上記問題点を解決するために考案されたもので、地震などの災害のとき、鍵を使わなくても自動的にシャッターを解錠することを目的とする。
【課題を解決するための手段】
【０００５】  既設の鍵のラッチ錠の熊手部と、シャッターレールのラッチ掛り部の噛み合いを開放し、シャッターカーテンの動きを可能として解錠する。
【考案の効果】
【０００６】  本考案により、地震などの災害で合い鍵をなくしても、シャッターを自動解錠できるので、シャッター内の災害救助用資材や生活必需品などを速やかに取り出すことができる。
【考案を実施するための最良の形態】
【０００７】  以下本考案を実施するための最良の形態について説明する。【０００８】  既設のシャッター鍵の施錠方法は、合い鍵でシリンダー錠（１７）を回すことによりラッチバー（５）を左右に押し広げ、ラッチ錠（６）の熊手（７）部分をラッチ掛り（１４）に噛み合わせて施錠する。またシリンダー錠（１７）を逆に回すことでラッチバー（５）を引っ張り、ラッチ錠（６）の熊手（７）部分をラッチ掛かり（１４）からはずして解錠する。図１・図２・図３・図４参照【０００９】  既存のシャッターレール（２）のラッチ掛かり（１４）部分を切り取り、ラッチ開閉板（８）とする。【００１０】  シャッターレール（２）とラッチ開閉板（８）を、スプリング蝶番（９）を介して元の位置に接合する。図７参照
ラッチ開閉板（８）は、ロック機構（１０）でロックされていないとき、スプリング蝶番（９）のスプリングで外側に開いている。図８・図９参照【００１１】  ロック機構（１０）は、可動片（１１）と可動片案内カバー（１２）、圧縮ばね（１６）、ワイヤー（１８）、軸ガイド（１５）で構成する。
可動片（１１）は可動片案内カバー（１２）の内面にそって上下に移動できる構造とする。
可動片（１１）の上部にワイヤー（１８）を軸ガイド（１５）と圧縮ばね（１６）を通して取り付ける。図７参照【００１２】  ロック機構（１０）を、ラッチ開閉板（８）が内側に閉じた状態で、可動片（１１）の爪部（１３）がラッチ開閉板（８）の上部に掛かるようにシャッターレール（２）に取り付ける。図７参照【００１３】以上の加工と取り付けを、もう片方のシャッターレール（２）にも行う。【００１４】  解錠動作としては、地震や災害で建築物が揺れると同時に錘などの落下力による解錠動作と遠隔操作によりワイヤー（１８）が上方に引かれて、解錠する二つが考えられるが、本考案では錘の落ちる落下力による解錠動作について説明する。【００１５】  ワイヤーと結合しているロック機構（１０）の可動片（１１）が上部に移動するので、ラッチ開閉板（８）が可動片（１１）の爪部（１３）からはずれ、スプリング蝶番（９）の復元力でシャッターレール（２）より外側に開く。【００１６】  熊手（７）からラッチ掛かり（１４）が開放されるのでシャッターカーテン（１）は施錠状態であっても自由に上下に動くことが可能である。【００１７】  施錠方法は、先ず既設の鍵を開にしておき、シャッターカーテン（１）を上方へ開いておき、ワイヤー（１８）を引き上げ、ロック機構（１０）の可動片（１１）を上方に移動させた状態でラッチ開閉板（８）を閉じ、ワイヤー（１８）を放して可動片の爪部（１３）でラッチ開閉板（８）を押さえる。
シャッターカーテン（１）を施錠位置に下ろし、既設の合い鍵で施錠する。
【実施例】
【００１８】  例えば、地震の揺れで台座（２１）から重錘（２０）が落下した場合、重錘の重量がワイヤー（１８）を伝いロック機構（１０）の爪部（１３）をラッチ開閉盤（８）から外れる位置に移動する。【００１９】ロック機構（１０）の可動片（１１）がラッチ開閉板（８）から外れるとスプリング蝶番（９）の復元力によりラッチ開閉板（８）がスプリング蝶番（９）の中心軸線を中心に外側に開く。【００２０】  ラッチ開閉板（８）が開くと、ラッチバー（５）の先についておる熊手（７）からラッチ掛りが開放されるのでシャッターカーテン（１）を自由に動かすことができる。〔ここに実施例の図が必要〕
【図面の簡単な説明】
【００２１】
【図１】本案装置加工前の既存のシャッターとシャッターレールの施錠状態を表す断面図である。
【図２】本案装置加工前の既存のシャッターを内側からとシャッターレールのラッチ掛かり部を見た施錠状態を表す正面図である。
【図３】本案装置加工前の既存のシャッターとシャッターレールの解錠状態を表す断面図である。
【図４】本案装置加工前の既存のシャッターを内側からとシャッターレールのラッチ掛かり部を見た解錠状態を表す正面図である。
【図５】本案装置を取り付けた内側から見たシャッター全体の施錠時正面図である。
【図６】本案装置を取り付けた内側から見たシャッター全体の解錠時正面図である。
【図７】ロック機構とラッチ開閉板の施錠状態図である。
【図８】ロック機構とラッチ開閉板の解錠状態図である。
【図９】ラッチ開閉板が開き、ラッチ掛かりが熊手から離れた状態を見た斜視図である。
【図１０】ラッチ開閉板が閉まり熊手がラッチ掛かりに引っ掛かった状態の断面図である。
【図１１】ラッチ開閉板が開き熊手がラッチ掛かりから離れた状態の断面図である。
【図１２】ラッチ開閉板がロック機構により閉じた状態になっている実施例の内側から使用例の全体図である。
【図１３】重錘が台座から落ち、その重量によりワイヤーを経由してロック機構の可動片がラッチ開閉板から離れ、ラッチ開閉板はスプリング蝶番のスプリングの戻り力により開き解錠した実施例の全体図である。
【符号の説明】
【００２２】  １シャッターカーテン
２シャッターレール
３ガイド折り曲げ部
４スラット
５ラッチバー
６ラッチ錠
７熊手
８ラッチ開閉板
９スプリング蝶番
１０ロック機構
１１可動片
１２可動片案内カバー
１３爪部
１４ラッチ掛かり
１５軸ガイド
１６圧縮ばね
１７シリンダー錠
１８ワイヤー
１９スラット
２０重錘
２１台座
２２弛み防止ばね
【図１】
0003147303.tif 000003
【図２】
0003147303.tif 000004
【図３】
0003147303.tif 000005
【図４】
0003147303.tif 000006
【図５】
0003147303.tif 000007
【図６】
0003147303.tif 000008
【図７】
0003147303.tif 000009
【図８】
0003147303.tif 000010
【図９】
0003147303.tif 000011
【図１０】
0003147303.tif 000012
【図１１】
0003147303.tif 000013
【図１２】
0003147303.tif 000014
【図１３】
0003147303.tif 000015